(57)【要約】  【課題】使用時において第１脚部と第２脚部とをそれぞれの係止部に確実に係止できることは勿論のこと、使用者の意思に反して不用意に係止部が解除されることのない安全性の高い座イスを提供すること。  【解決手段】臀部を受け止める座部と、床面に接地される受け板部との間に、第１脚部と第２脚部とを交差させた中間部分を回動可能に枢支したＸ型リンクを設け、座部の裏面部分並びに受け板部の表面部分に受け止められるＸ型リンクの４箇所の内、座部の裏面部分と受け板部の表面部分にＸ型リンクのそれぞれ１箇所を回動可能に枢支し、他の遊端部を座部の裏面部分と受け板部の表面部分に設けた受け止め部に着脱可能に受け止めさせ、当該遊端部を受け止め部からはずすことにより、座部を受け板部に近接する方向に折り畳み可能に構成した折り畳み座イスにおいて、Ｘ型リンクの遊端部を抜け止め手段で受け止め部に抜け止め状に保持するとともに、この抜け止め手段に抗して外力を作用させたときに、Ｘ型リンクの遊端部を受け止め部から係合離脱可能に構成した。【選択図】図１
2006158852.tif 000002
【特許請求の範囲】
【請求項１】
臀部を受け止める座部と、床面に接地される受け板部との間に、第１脚部と第２脚部とを交差させた中間部分を回動可能に枢支したＸ型リンクを設け、座部の裏面部分並びに受け板部の表面部分に受け止められるＸ型リンクの４箇所の内、座部の裏面部分と受け板部の表面部分にＸ型リンクのそれぞれ１箇所を回動可能に枢支し、他の遊端部を座部の裏面部分と受け板部の表面部分に設けた受け止め部に着脱可能に受け止めさせ、当該遊端部を受け止め部からはずすことにより、座部を受け板部に近接する方向に折り畳み可能に構成した折り畳み座イスにおいて、Ｘ型リンクの遊端部を抜け止め手段で受け止め部に抜け止め状に保持するとともに、この抜け止め手段に抗して外力を作用させたときに、Ｘ型リンクの遊端部を受け止め部から係合離脱可能に構成したことを特徴とする折り畳み座イス。
【請求項２】
受け止め部を弾性部材で略Ｃ字状に形成し、受け止め部の開口部の最小隙間を此処に進入するＸ型リンクの遊端部の最大径より小さくして抜け止め手段を形成したことを特徴とする請求項１記載の折り畳み座イス。
【請求項３】
受け止め部を弾性部材で略Ｃ字状に形成し、受け止め部の開口部の最小隙間を此処に進入するＸ型リンクの遊端部の最大径より小さく且つ最大径の１／２よりも大きくして抜け止め手段を形成したことを特徴とする請求項１記載の折り畳み座イス。
【発明の詳細な説明】
【技術分野】
【０００１】
本発明は、折り畳み座イスに関するものである。
【背景技術】
【０００２】
従来、この種の座イスとしては、使用者の臀部を受け止める座部と、座部の下面側における一端部に回動自由に連結される第１脚部と、座部の下面側における他端部に回動自由に連結される第２脚部とを備え、第１脚部の長さ方向中央部分に係止部が設けられているとともに、第２脚部の長さ方向中央部分に被係止部が設けられており、第１脚部および第２脚部を交差させて、係止部に被係止部をからめて係止させることにより、第１脚部および第２脚部を平面視Ｘ状に交差した状態で立設可能な座イスが開示されている。（例えば、特許文献１参照）。
【特許文献１】実開平７−２０９０１号公報
【発明の開示】
【発明が解決しようとする課題】
【０００３】
しかしながら、上記の座イスでは、係止部と被係止部との取り外し方向に何ら規制手段がないので、例えば使用後に座イスを持ち上げると、第１脚部と第２脚部との係止状態が直ちに解除されてしまい、安全性を確保できないという不具合がある。
本発明は、以上の問題点に鑑みてなされたものであって、使用時において第１脚部と第２脚部とをそれぞれの係止部に確実に係止できることは勿論のこと、使用者の意思に反して不用意に係止部が解除されることのない安全性の高い座イスを提供することを目的としている。
【課題を解決するための手段】
【０００４】
本発明の折り畳み座イスは、臀部を受け止める座部と、床面に接地される受け板部との間に、第１脚部と第２脚部とを交差させた中間部分を回動可能に枢支したＸ型リンクを設け、座部の裏面部分並びに受け板部の表面部分に受け止められるＸ型リンクの４箇所の内、座部の裏面部分と受け板部の表面部分にＸ型リンクのそれぞれ１箇所を回動可能に枢支し、他の遊端部を座部の裏面部分と受け板部の表面部分に設けた受け止め部に着脱可能に受け止めさせ、当該遊端部を受け止め部からはずすことにより、座部を受け板部に近接する方向に折り畳み可能に構成した折り畳み座イスにおいて、Ｘ型リンクの遊端部を抜け止め手段で受け止め部に抜け止め状に保持するとともに、この抜け止め手段に抗して外力を作用させたときに、Ｘ型リンクの遊端部を受け止め部から係合離脱可能に構成したことを特徴とするものである。
【０００５】
受け止め部を弾性部材で略Ｃ字状に形成し、受け止め部の開口部の最小隙間を此処に進入するＸ型リンクの遊端部の最大径より小さくして抜け止め手段を形成したことを特徴とするものであってもよい。
【０００６】
受け止め部を弾性部材で略Ｃ字状に形成し、受け止め部の開口部の最小隙間を此処に進入するＸ型リンクの遊端部の最大径より小さく且つ最大径の１／２よりも大きくして抜け止め手段を形成したことを特徴とするものであってもよい。
【発明の効果】
【０００７】
本発明の折り畳み座イスは、臀部を受け止める座部と、床面に接地される受け板部との間に、第１脚部と第２脚部とを交差させた中間部分を回動可能に枢支したＸ型リンクを設け、座部の裏面部分並びに受け板部の表面部分に受け止められるＸ型リンクの４箇所の内、座部の裏面部分と受け板部の表面部分にＸ型リンクのそれぞれ１箇所を回動可能に枢支し、他の遊端部を座部の裏面部分と受け板部の表面部分に設けた受け止め部に着脱可能に受け止めさせ、当該遊端部を受け止め部からはずすことにより、座部を受け板部に近接する方向に折り畳み可能に構成した折り畳み座イスにおいて、Ｘ型リンクの遊端部を抜け止め手段で受け止め部に抜け止め状に保持するとともに、この抜け止め手段に抗して外力を作用させたときに、Ｘ型リンクの遊端部を受け止め部から係合離脱可能に構成しているので、使用者が離脱方向に所定の外力を加えることなく、Ｘ型リンクの遊端部が受け止め部から不用意に外れない構造となっている。したがって、例えば単に座イスを持ち上げたり、誤って座イスが倒れたりしたときなどに、使用者の意思に反してＸ型リンクの遊端部が受け止め部から不用意に外れてしまうことのない安全性の高い座イスを提供できる。
【０００８】
また、受け止め部を弾性部材で略Ｃ字状に形成し、受け止め部の開口部の最小隙間を此処に進入するＸ型リンクの遊端部の最大径より小さくして抜け止め手段を形成したものでは、簡単な構造でありながら、一旦受け止め部に受け止められたＸ型リンクの遊端部を確実に保持できる。また、抜け止め手段の構造が簡単であるので、低コストで容易に製造できるという利点もある。
【０００９】
受け止め部を弾性部材で略Ｃ字状に形成し、受け止め部の開口部の最小隙間を此処に進入するＸ型リンクの遊端部の最大径より小さく且つ最大径の１／２よりも大きくして抜け止め手段を形成したものでは、簡単な構造でありながら、Ｘ型リンクの遊端部を受け止め部にスムーズに係合させることができるし、一旦受け止め部に受け止められたＸ型リンクの遊端部を確実に保持できる。また、抜け止め手段の構造が簡単であるので、低コストで容易に製造できるという利点もある。
【発明を実施するための最良の形態】
【００１０】
以下、本発明にかかる折り畳み座イスの一実施形態を図面に基づいて説明する。
【００１１】
本実施形態にかかる座イス１は、図1に示すように、使用者の臀部を受け止める座部２と、床面に接地される受け部３と、座部２と受け部３との間に正面視Ｘ状に交差した状態で配置される脚部４とを備えている。
【００１２】
座部２は、図２に示すように、略矩形の座板部２０と、座板部２０の上面に配置されるクッション材２１１を布地カバー２１２で包んでなるクッション部２１と、座板部２０の下面に配置される補強板２２で構成されている。補強板２２は、金属製の板材で座板部２０よりも一回り小さく形成されており、座板部２０にビス止めされている。補強板２２の長手方向両端部は内側に曲成されており、一端側には筒状の軸受２２１が形成されており、他端側には所定の開口幅Ｌの開口部２２２が形成された断面視Ｃ字状の第１係止部２２３が形成されている。
【００１３】
受け部３も座部２と同様に、座板部２０よりも一回り小さい略矩形の受け板部３０と、受け板部３０の上面に配置される補強板３１で構成されている。補強板３１は、金属製の板材で受け板部３０よりも一回り小さく形成されており、受け板部３０にビス止めされている。補強板３１も補強板２２と同様に、長手方向一端部には、筒状の軸受３１１が形成されており、長手方向他端部には、所定の開口幅Ｌの開口部３１２が形成された断面視Ｃ字状の第２係止部３１３が形成されている。
【００１４】
脚部４は、金属製で、ロの字型に形成された第１脚部４１および第２脚部４２と、第１脚部４１と第２脚部４２とを回動可能に連結する連結部材４３で構成されている。
第１脚部４１は、所定幅で平行に配置された２本の細長い板状の支持脚４１０，４１１と、支持脚４１０，４１１の長手方向一側を連結するように配置される回転軸４１２と、長手方向他側を連結するように配置される同じく円柱状の第１被係止部４１３で構成されている。回転軸４１２は、座部２に取り付けられた補強板２２の軸受２２１内に回転自由に挿通されており、第１被係止部４１３の外径Φは、第１係止部２２３の開口部２２２の開口幅Ｌに対して、（１／２）×Φ＜Ｌ＜Φとなる寸法に形成されている。
【００１５】
第２脚部４２は、第１脚部４１の支持脚４１０，４１１よりも狭い幅で平行に配置されている２本の細長い板状の支持脚４２０，４２１と、支持脚４２０，４２１の長手方向一側を連結するように配置される回転軸４２２と、長手方向他側を連結するように配置される同じく円柱状の第２被係止部４２３で構成されている。回転軸４２２は、受け部３に取り付けられた補強板３１の軸受３１１内に回転自由に挿通されており、第２被係止部３１３の外径Φは、第２係止部３１３の開口部３１２の開口幅Ｌに対して、（１／２）×Φ＜Ｌ＜Φとなる寸法に形成されている。
【００１６】
第２脚部４２の支持脚４２０，４２１は、第１脚部４１の支持脚４１０，４１１の内側に配置されており、第１脚部４１の支持脚４１０，４１１と、第２脚部４２の支持脚４２０，４２１とは、その中央部分において交差するように配置されている。
【００１７】
連結部材４３は、第２脚部４２の支持脚４２０，４２１の幅とほぼ同じ長さの本体部４３０と、本体部４３０の両端に設けられる枢支部４３１，４３１で構成されている。本体部４３０は、第１脚部４１の支持脚４１０，４１１と、第２脚部４２の支持脚４２０，４２１との交差部分に、支持脚４１０，４１１および支持脚４２０，４２１に対して直角に配置されている。枢支部４３１，４３１は、前記交差部分に挿嵌されており、第１脚部４１と第２脚部４２とを回動自由に枢支している。
【００１８】
次に、上記の座イス１の組み立て方法について説明する。まず、図３に示すように、座部２と受け板部３０とをそれぞれ両手で持って、第１脚部４１と第２脚部４２とを正面視Ｘ状に交差させて、第１脚部４１の第１被係止部４１３を座部２の第１係止部２２３の開口部２２２に対向配置させるとともに、第２脚部４２の第２被係止部４２３を受け部３の第２係止部３１３の開口部３１２に対向配置させる。そして、座部２と受け板部３０とを両手で挟むようにして、第１脚部４１と第２脚部４２とを深く交差させていき、第１脚部４１を第１係止部２２３に、第２脚部４２を第２係止部３１３に係止させる。
【００１９】
ここで、図４（ａ）〜（ｄ）を用いて、第１脚部４１を第１係止部２２３に取り付ける手順について詳細に説明する。なお、第２脚部４２の第２係止部３１３への取り付け手順も同様であるので、符号の記載をもって説明を省略する。
【００２０】
まず、図４（ａ）に示すように、第１被係止部４１３を開口部２２２に近づけて、第１被係止部４１３が開口部２２２に当接したら、さらに嵌入方向に力を加える。すると、図４（ｂ）に示すように、開口部２２２の先端部が、第１被係止部４１３の外周面に沿って弾性変形して、図４（ｃ）に示すように、開口部２２２の先端部が、第１被係止部４１３の外径Φより大きくなるまで拡開されて、第１被係止部４１３が、第１係止部２２３内に係止される。その結果、図４（ｄ）に示すように、拡開方向に弾性変形していた開口部２２２の先端部は、復元力により元の位置に戻る。開口部２２２の開口幅Ｌは、第１被係止部４１３の外径よりも小さくなるので、第１被係止部４１３は、第１係止部２２３から外れない。
【００２１】
ところで、前述のようにして組み立てた座イス１を収納する場合には、図３に示すように、座部２と受け板部３０とをそれぞれ両手で持って、組み立てる場合とは逆の手順により、座部２と受け板部３０とを両手で離間させるように力を加える。すると、第１係止部２２３，第２係止部３１３の開口部３１２が外側に押し広げられて弾性変形し、第１被係止部４１３，第２被係止部４２３が、第１係止部２２３，第２係止部３１３から外れる。第１被係止部４１３，第２被係止部４２３が、第１係止部２２３，第２係止部３１３から外れたら、第１脚部４１と第２脚部４２とを重ね合わせるようにして、座部２と受け板部３０との間に脚部４を収納する。
【００２２】
以上のように、本実施形態にかかる座イス１によれば、第１係止部２２３に所定の開口幅Ｌの開口部２２２が形成されているとともに、第２係止部３１３に所定の開口幅Ｌの開口部３１２が形成されていて、第１被係止部４１３および第２被係止部４２３の外径Φが開口部２２２，３１２の開口幅Ｌに対して、（１／２）×Φ＜Ｌ＜Φとなる寸法に形成されているので、第１係止部２２３および第２係止部３１３の開口部２２２，３１２を弾性変形させることにより、第１被係止部４１３を第１係止部２２３に、第２被係止部４２３を第２係止部３１３にそれぞれ嵌着させることができる。
【００２３】
また、第１被係止部４１３を第１係止部２２３内に、第２被係止部４２３を第２係止部３１３内に嵌入させた後は、開口部２２２，３１２の先端部が復元力により元の位置に戻るので、第１被係止部４１３，第２被係止部４２３が、使用者が取り外し方向に所定の外力を加えることなく、第１係止部２２３，第２係止部３１３から不用意に外れない。したがって、例えば単に座イスを持ち上げたり、誤って座イスが倒れたりしたときなどに、使用者の意思に反して第１脚部４１および第２脚部４２が第１係止部２２３および第２係止部３１３から外れてしまうことのない安全性の高い座イスを提供できる。また、係止構造が簡単であるので、誰でも容易かつ確実に着脱できる上、製造コストの削減も図ることができる。
【００２４】
さらに、開口部２２２，３１２の形状は、上記形状に限られず、例えば、図５に示す開口部５のように、開口部分にくびれがあって、遊端部が外部に向かって広がっていてもよい。なお、開口部の開口幅Ｌは、開口部分の最小隙間を指しており、この場合では、遊端部における開口幅Ｌ１ではなく、くびれ部分の開口幅Ｌが該当する。
【００２５】
また、本発明にかかる折り畳み座イスは、本実施形態の座イス１に限定されるものではなく、使用者が離脱方向に所定の外力Ｆを加えることなく、第１脚部および第２脚部が、第１係止部および第２係止部から不用意に外れない構造であればよい。したがって、例えば、第１脚部および第２脚部と、第１係止部および第２係止部との間に着脱を規制するロック機構を設けてもよいし、第１脚部および第２脚部と、第１係止部および第２係止部とのそれぞれに磁石を設け、磁石の吸着力により係止させる構成であってもよい。
【００２６】
また、本実施の形態の座イス１は、第１脚部４１の長手方向一側を座部２に回転可能に枢支するとともに、長手方向他側の遊端部を受け部３に係合離脱可能に設け、第２脚部４２の長手方向一側を受け部３に回転可能に枢支するとともに、長手方向他側の遊端部を座部２に係合離脱可能に設けたが、第１脚部４１および第２脚部４２の枢支構造はこれに限られず、例えば、第１脚部４１の両端部をそれぞれ座部２と受け部３とに回転可能に枢支するとともに、第２脚部４２の両端部をそれぞれ座部２と受け部３とに係合離脱可能に設けてもよい。
【図面の簡単な説明】
【００２７】
【図１】本発明の一実施形態に係る座イス１の外観斜視図である。
【図２】図1をＸ―Ｘ線で断面して示す縦断面図である。
【図３】本実施形態にかかる座イス１の使用状態を示す説明図である。
【図４】本実施形態にかかる座イス１の第１被係止部４１３，第２被係止部４２３が第１係止部２２３，第２係止部３１３に弾性嵌着される様子を示す説明図である。
【図５】第１係止部２２３，第２係止部３１３の開口部の他の実施形態を示す説明図である
【符号の説明】
【００２８】
１        座イス(折り畳み座イス)
２        座部
２２２    開口部
２２３    第１係止部（受け止め部）
３０      受け板部
３１２    開口部
３１３    第２係止部（受け止め部）
４        脚部（Ｘ型リンク）
４１      第１脚部
４２      第２脚部
【図１】
2006158852.tif 000003
【図２】
2006158852.tif 000004
【図３】
2006158852.tif 000005
【図４】
2006158852.tif 000006
【図５】
2006158852.tif 000007